(57)【要約】【課題】従来の薬剤管理装置は、薬剤を使用期限順に並べようとした場合、作業が煩雑になることである。【解決手段】薬剤管理装置は、収納部２０、２１に存在する薬剤の薬剤情報をＲＦＩＤタグより検出する検出部４１、４２と、薬剤補充時の収納部２０、２１に存在する薬剤の薬剤情報を記録する初期薬剤記録部４３と、初期薬剤記録部４３に記録された薬剤情報の薬剤種別コードおよび使用期限に応じて収納部２０、２１における薬剤の配置場所を決定する並び替部４４と、初期薬剤記録部４３に記録された複数の薬剤情報と比較して検出部４１、４２で検出されない不足薬剤を算出する取出し算出部４５と、取出し算出部４５で算出された不足薬剤について収納部２０、２１の配置場所を指示する表示部２２と、を備え、収納部２０、２１に薬剤を補充した後、並び替える薬剤を収納部２０、２１から摘み上げると薬剤の使用期限に応じた配置位置を表示する。【選択図】図７
2011104188.tif 000002
【特許請求の範囲】
【請求項１】
保持部を複数備えると共に鉛直上方が開口された収納部と、
前記収納部の複数の保持部に保持された薬剤の薬剤種別および使用期限を含む薬剤情報を、前記保持された薬剤のＲＦＩＤタグより検出する検出部と、
予め設定された初期状態において前記収納部に保持される薬剤の薬剤情報が記録された初期薬剤記録部と、
前記検出部で検出された薬剤情報の薬剤種別および使用期限に応じて前記収納部における薬剤の配置場所を決定する並び替部と、
前記初期薬剤記録部に記録された複数の薬剤情報を基準とした場合に、前記検出部で検出されない不足薬剤を算出する取出し算出部と、
前記取出し算出部で算出された不足薬剤について前記収納部の配置場所を表示する表示部と、を備えた、
薬剤管理装置。
【請求項２】
前記並び替部は、前記収納部の複数の保持部を複数の配置エリアに分け、１つの配置エリアには同一の薬剤が配置され、前記配置エリアごとに使用期限が早いものが同一方向に配置されるように薬剤の配置場所を決定する、
請求項１記載の薬剤管理装置。
【請求項３】
前記並び替部は、前記収納部の複数の保持部を複数の配置エリアに分け、１つの配置エリアには複数種類の薬剤が薬剤セットとして配置され、前記配置エリアごとに使用期限が早い薬剤セットが同一方向に配置されるように薬剤の配置場所を決定する、
請求項１または２記載の薬剤管理装置。
【請求項４】
予め決められた手術に必要な薬剤種別と薬剤の個数を記録する準備薬剤記録部と、
前記準備薬剤記録部と前記検出部で検出された薬剤とを比較して、補充を必要とする薬剤を算出する補充算出部とを備えた、
請求項１〜３いずれか１項に記載の薬剤管理装置。
【請求項５】
前記表示部は複数の発光部からなり、前記発光部は前記保持部ごとに設置される、
請求項１〜４いずれか１項に記載の薬剤管理装置。
【請求項６】
前記並び替部は、前記収納部の複数の保持部を、前記収納部に準備が必要な準備薬剤情報にある薬剤の使用頻度、容器の大きさ、重要度の少なくとも１つの要素を用いて決定する、
請求項２〜５いずれか１項に記載の薬剤管理装置。
【請求項７】
前記収納部の使用方向を検出して記録する使用方向記録部を備え、この使用方向記録部の使用方向に従い前記収納部の同一方向を決定する、
請求項２〜６いずれか１項に記載の薬剤管理装置。
【請求項８】
前記使用方向記録部の使用方向は、前記表示部の表示方向によって変更される、
請求項７記載の薬剤管理装置。
【請求項９】
収納部の複数の保持部に保持された薬剤の薬剤種別および使用期限を含む薬剤情報を、前記保持された薬剤のＲＦＩＤタグより検出する検出工程と、
予め設定された初期状態において前記収納部に保持される薬剤の薬剤情報が記録された初期薬剤記録工程と、
前記検出部で検出された薬剤情報の薬剤種別および使用期限に応じて前記収納部における薬剤の配置場所を決定する並び替工程と、
前記初期薬剤記録部に記録された複数の薬剤情報を基準とした場合に、前記検出部で検出されない不足薬剤を算出する取出し算出工程と、
前記取出し算出部で算出された不足薬剤について前記収納部の配置場所を表示する表示工程と、を備えた、
薬剤管理方法。
【発明の詳細な説明】
【技術分野】
【０００１】
本発明は、薬剤を管理する薬剤管理装置および方法に関するものである。
【背景技術】
【０００２】
病院では、様々な病気や怪我を持つ患者に対し、医師が診断を行い、治療のために調剤情報を作成している。そして、その調剤情報を元に、調剤局や調剤室等で薬剤を取り揃えて、患者へ提供をしている。
【０００３】
また、手術室で利用する手術用の薬剤は、手術前の医師の診断（手術計画）に基づいて薬剤管理カートに準備される。しかし、手術計画で必要最低限とする薬剤のみを準備すると、手術中に医師の診断が変わった場合、薬剤が不足したり、慌ただしい手術の最中に薬剤が破損したりする場合がある。そのため、手術用の薬剤は、多めに取り揃えておく必要がある。
【０００４】
また、頻繁に行われる手術については、その手術用の薬剤を集めた薬剤管理カートを手術室に常駐させている。すなわち、手術ごとに取り揃えるのではなく、特定の手術用の薬剤管理カートを準備して一定の薬剤を保持するようにしている。そして、手術前に薬剤が不足していれば、それを補充するようにしている。同様に、多くの手術に共通して必要な薬剤を集めた薬剤管理装置を手術室に常駐させておく場合もある。
【０００５】
このような薬剤管理装置の中には、使用期限が早い薬剤が早く使用されるように考えられた薬剤管理装置として、図２６（ａ）、（ｂ）に示すような薬剤管理も可能な物品収納装置がある。
【０００６】
物品収納装置１には、薬剤３を整列収納するカセット４を多数設ける。また、各カセット４には、薬剤３の出し入れ可能な出入口５が形成され、その出入口５に向けて薬剤３を傾ける付勢手段６が付設される。そして、物品収納装置１のカセット載置棚７には、カセット４内の薬剤３の収納数を求める計数手段８、９が設けられる。
【０００７】
カセット４には、同一種類の薬剤を収納しておくが、その際、使用期限の遅いものを奥側にし、使用期限の早いものを前側（出入口５側）に整列させる。
【０００８】
よって、物品収納装置１からの薬剤の取出しは、使用期限の早いものから取出される。
【先行技術文献】
【特許文献】
【０００９】
【特許文献１】特開２００１−１９９５０８号公報
【発明の概要】
【発明が解決しようとする課題】
【００１０】
従来の物品収納装置１の課題は、カセット４内の薬剤を常に使用期限順に並べる必要があるため、作業が煩雑になることである。
【００１１】
つまり、薬剤の種類は、薬剤のラベルの色や形状等で瞬時に見分けることができるが、薬剤の使用期限は、薬剤ラベルの目立たない一部に記録されているのみで、ラベルに記載された使用期限を確認するには時間がかかってしまう。
【００１２】
また、カセット４内の薬剤が使用期限に並んでいるとしても、カセット４へ補充する薬剤の使用期限は保持される薬剤３の中で何番目に早いものかわからない。よって、カセット４で保持される多くの薬剤の使用期限を見た上で、補充する薬剤の位置を決定する必要がある。
【００１３】
また、従来の物品収納措置１では、カセット４への薬剤の補充は、出入口５からしかできず、補充する薬剤がカセット４の中で使用期限が最も遅い場合、すべての薬剤をカセット４から取り出した上で補充をしなければならない。
【００１４】
本発明は、これらの課題を解決した薬剤管理装置および方法を提供することを目的とする。
【課題を解決するための手段】
【００１５】
そしてこの目的を達成するための本発明の薬剤管理装置は、保持部を複数備えると共に鉛直上方が開口された収納部と、前記収納部の複数の保持部に保持された薬剤の薬剤種別および使用期限を含む薬剤情報を、前記保持された薬剤のＲＦＩＤタグより検出する検出部と、予め設定された初期状態において前記収納部に保持される薬剤の薬剤情報が記録された初期薬剤記録部と、前記検出部で検出された薬剤情報の薬剤種別および使用期限に応じて前記収納部における薬剤の配置場所を決定する並び替部と、前記初期薬剤記録部に記録された複数の薬剤情報を基準とした場合に、前記検出部で検出されない不足薬剤を算出する取出し算出部と、前記取出し算出部で算出された不足薬剤について前記収納部の配置場所を表示する表示部と、を備えたことを特徴とする。
【００１６】
また、この目的を達成するための本発明の薬剤管理方法は、収納部の複数の保持部に保持された薬剤の薬剤種別および使用期限を含む薬剤情報を、前記保持された薬剤のＲＦＩＤタグより検出する検出工程と、予め設定された初期状態において前記収納部に保持される薬剤の薬剤情報が記録された初期薬剤記録工程と、前記検出部で検出された薬剤情報の薬剤種別および使用期限に応じて前記収納部における薬剤の配置場所を決定する並び替工程と、前記初期薬剤記録部に記録された複数の薬剤情報を基準とした場合に、前記検出部で検出されない不足薬剤を算出する取出し算出工程と、前記取出し算出部で算出された不足薬剤について前記収納部の配置場所を表示する表示工程と、を備えたことを特徴とする。
【発明の効果】
【００１７】
本発明の薬剤管理装置および方法を用いることで、使用期限が早い薬剤を収納部の取り出し易い位置に並べることが容易になる。
【図面の簡単な説明】
【００１８】
【図１】本発明の実施の形態１における手術室の正面図
【図２】本実施の形態１における薬剤管理装置の斜視図
【図３】本実施の形態１における収納部を引き出した薬剤管理装置の斜視図
【図４】本実施の形態１における収納部の斜視図
【図５】本実施の形態１における薬剤の斜視図
【図６】本実施の形態１における薬剤のＲＦＩＤタグの下面図
【図７】本実施の形態１における薬剤管理装置の機能ブロック図
【図８】本実施の形態１における手術後の収納部の上面図
【図９】本実施の形態１における補充算出部の動作を説明するフローチャート
【図１０】本実施の形態１における補充後の収納部の上面図
【図１１】本実施の形態１における初期薬剤リストを示す図
【図１２】本実施の形態１における取出し算出部の動作を説明するフローチャート
【図１３】本実施の形態１における薬剤の並び換え前の表示部の正面図
【図１４】本実施の形態１における薬剤の並び換え中の表示部の正面図
【図１５】本実施の形態１における並び替え後の収納部の上面図
【図１６】本発明の実施の形態２における並び替え前の収納部の上面図
【図１７】本発明の実施の形態３における帯状エリア分けの収納部の上面図
【図１８】本実施の形態３におけるリング状エリア分けの収納部の上面図
【図１９】本発明の実施の形態４における並び替部のエリア分け動作を説明するフローチャート
【図２０】本実施の形態４における薬剤管理装置の斜視図
【図２１】本実施の形態４における薬剤管理装置の機能ブロック図
【図２２】本実施の形態４における表示部を回転した薬剤管理装置の斜視図
【図２３】本実施の形態４における表示部を回転した場合の収納部の上面図
【図２４】本発明の実施の形態５における表示部の正面図
【図２５】本実施の形態５における並び替え後の収納部の上面図
【図２６】（ａ）従来の薬剤管理装置の正面図、（ｂ）従来の薬剤管理装置のカセット周りの右側側面図
【発明を実施するための形態】
【００１９】
以下、本発明を実施するための形態について、図面を参照しながら説明する。なお、以下の説明において、同じ構成には同じ符号を付けて、適宜、説明を省略している。
【００２０】
（実施の形態１）
図１は実施の形態１における手術室１０の正面図である。手術室１０には、患者を寝かせる手術用のベッド１１と、ベッド１１の上方にあってベッド１１上の患者の術部を照らす手術用のライト１２と、手術で利用する患者の生態情報を測定する測定器具１３と、手術用の薬剤を保管する薬剤管理装置１４がある。このような手術室１０にて、手術作業者（医師、看護師）が、手術道具（図示せず）、測定器具１３、薬剤管理装置１４を利用しながら手術を進める。
【００２１】
図２は薬剤管理装置１４の斜視図である。薬剤管理装置１４は、薬剤を個別に保持する保持部となす凹部２９を複数備え、上方を開口した収納部２０、２１を備える。
【００２２】
さらに、タッチパネルによる入力機能を有する表示部２２と、作業者の名札に取り付けられたＩＣタグの個人識別情報を無線で読み取るＩＣタグリーダ２３と、ＩＣタグリーダ２３で個人識別される医師を撮像範囲に含むように手術室内を撮影するカメラ２４と、小型パソコン等のデータ処理装置を保管する制御機器ケース部２５とを備える。
【００２３】
さらに、薬剤管理装置１４の上部に、手術後、収納部２０、２１へ薬剤を補充するための第１ボタン２７と、補充した薬剤を並び替えるための第２ボタン２８とを備える。
【００２４】
また、薬剤管理装置１４に保持する薬剤を取り出し易くするために、図３に示すように、薬剤管理装置１４の正面（開口）に向かって収納部２０、２１を個別に引き出すことが可能である。
【００２５】
次に、図４の収納部２０の分解図を用いて、この収納部２０、２１の構造を説明する。
【００２６】
収納部２０は、薬剤を整然と並べるために一定の間隔で凹部２９が形成された薬剤受け３１と、薬剤受け３１の下部にある収納部アンテナ３２と、薬剤受け３１と収納部アンテナ３２を固定するアンテナ固定ガイド３３と、アンテナ固定ガイド３３の下方に蓋をする収納部底板３４と、この収納部底板３４の下面に取り付けられて収納部アンテナ３２の下方への電波を遮断する遮蔽板３５と、を備える。
【００２７】
なお、収納部アンテナ３２は、収納部２０に保持された薬剤のＲＦＩＤタグの情報を検出するＲＦＩＤタグの検出部に繋がっている。
【００２８】
また、収納部２０は、薬剤管理装置１４の一部である引出レール３６をスライドして移動する。
【００２９】
なお、図３の収納部２１は、収納部２０の下方に位置しており、基本構成は収納部２０と同じであるので、ここでは、収納部２０のみを説明している。
【００３０】
ちなみに、本実施の形態１で用いる複数種類の薬剤の一つである薬剤３０は、図５に示すように薬液をアンプル３８に入れたものであり、アンプル３８の下部にＲＦＩＤタグ３９を備える。このＲＦＩＤタグ３９は、１３．５６ＭＨｚのＨＦ帯のＲＦＩＤタグ３９が使用される。図６のＲＦＩＤタグ３９の下面図に示すように、ＲＦＩＤタグ３９は、ＩＣ３９ａと渦巻き状のコイル３９ｂとによって構成される。
【００３１】
図７は、薬剤管理装置１４の機能ブロック図である。
【００３２】
薬剤管理装置１４は、上方が開口された収納部２０、２１と、この収納部２０、２１に存在する薬剤３０の薬剤情報を検出する検出部４１、４２と、薬剤補充時の収納部２０、２１に存在する薬剤の薬剤情報を記録する初期薬剤記録部４３とを備える。薬剤３０のＲＦＩＤタグ３９には、識別番号と、薬剤種別コードとなす薬剤名と、使用期限を含む薬剤情報とが記録されており、検出部４１、４２でＲＦＩＤタグ３９に記録された薬剤情報を検出する。
【００３３】
なお、ここで言う薬剤補充時とは、次の手術のために収納部２０、２１に薬剤を補充した時である。具体的には、薬剤を収納部２０、２１に補充した後、作業者が第２ボタン２８を押して補充完了信号が発信された時を意味する。
【００３４】
さらに、薬剤管理装置１４は、初期薬剤記録部４３に記録された薬剤情報の薬剤名および使用期限に応じて収納部２０、２１における薬剤の配置場所を決定する並び替部４４と、初期薬剤記録部４３に記録された複数の薬剤情報を基準として検出部４１、４２で検出されない不足薬剤を算出する取出し算出部４５と、この取出し算出部４５で算出された不足薬剤について収納部２０、２１の配置場所を指示する表示部２２とを備える。
【００３５】
このような構成により、薬剤管理装置１４は、薬剤が収納部２０、２１に摘み上げられると、薬剤ごとの適切な配置場所を表示部２２に表示して、作業者へ提示する。
【００３６】
なお、並び替部４４は、同一種類の薬剤に関して使用期限の早い順番に順番付けを行うと共にその配置エリアを設定する。そして、その薬剤の配置エリアで使用期限の早い薬剤を前方（薬剤管理装置１４の正面側）に配置することで、作業者から見た場合に、使用期限の早い薬剤が手前となる。よって、手術中、収納部２０にある薬剤は、使用期限の早いものから優先的に取出し易くなる。
【００３７】
さらに、薬剤管理装置１４は、手術前に必要とする準備薬剤を記録する準備薬剤記録部４７と、準備薬剤と検出部４１、４２で検出された薬剤とを比較して補充が必要な薬剤を算出する補充算出部４８と、この補充算出部４８で補充が必要と算出された薬剤情報を外部へ発信するネット接続部４９とを備える。
【００３８】
このような構成により、手術後に、不足した薬剤を薬剤管理装置１４が算出し、不足しているために補充が必要な薬剤の薬剤情報を、ネットワーク経由で外部の薬剤払い出し装置へ発信する。
【００３９】
さらに、薬剤管理装置１４は、ＩＣタグリーダ２３で検出された個人識別情報と、ＩＣタグリーダ２３で個人識別される時にカメラ２４で撮影された撮影情報とから、作業者を記録する作業者記録部５１を備える。これにより、薬剤を補充した作業者に関する情報を記録することができる。
【００４０】
次に、薬剤管理装置１４の薬剤の補充作業について説明する。
【００４１】
図８は、手術後の収納部２０の上面図である。複数の凹部２９を有する薬剤受け３１は、複数の配置エリアに分かれ、配置エリアごとに同一種類の薬剤が配置されている。
【００４２】
図８では、収納部２０において、配置エリアとして、エリア６１〜６６を設けている。エリア６１には薬剤ａ７１を配置し、エリア６２には薬剤ｂ７２を配置し、エリア６３には薬剤ｃ７３を配置し、エリア６４には薬剤ｄ７４を配置し、エリア６５には薬剤ｅ７５を配置し、エリア６６には薬剤ｆ７６を配置する。なお、配置エリアとして使用されていない余りの部分であるエリア６７は、薬剤を補充する時や並び替え時に、一時的に配置しておくための配置エリアである。
【００４３】
手術前において、エリア６１、６２、６３、６４、６５、６６は、それぞれの薬剤で満たされていなければならないが、図８は、手術後の状態を示しているため、手術中に使用された薬剤が抜き取られた状態である。
【００４４】
また、ここでは、エリア６２に配置されなければならない薬剤ｂ７２が２つ、エリア６３に配置されている。これは、手術中、エリア６３から一度に複数取出した薬剤ｂ７２を、取出し過ぎたため返却したものである。本来なら、エリア６２に返却すべきであるが、返却位置を間違えてエリア６３へ配置されたものである。
【００４５】
手術が終わると、次の手術のために収納部２０には薬剤の補充を行わなければならない。例えば、手術が終わって手術室を掃除した後、薬剤の補充を行う。薬剤管理装置１４の第１ボタン２７を押すと図７の補充算出部４８が作動して、補充に必要な薬剤名と個数を算出し、この補充のための薬剤名と個数をネット接続部４９より、手術室の外部にある薬剤払い出し装置（図示せず）へ発信する。
【００４６】
この時の補充算出部４８の動作を、図９の補充算出部４８のフローチャートを用いて説明する。なお、収納部２０、２１の両方で薬剤を保持することは可能であるが、ここでは収納部２０のみで薬剤を保持する場合について説明する。
【００４７】
第１ボタン２７が押されると、補充算出部４８が作動して、まず、検出部４１へ指示を出し、収納部２０に存在する薬剤の薬剤情報を検出する（ステップＳ０１）。
【００４８】
薬剤３０のＲＦＩＤタグ３９には、識別番号、薬剤名、使用期限を含む薬剤情報が記録されており、収納部２０に存在する複数の薬剤の薬剤情報を検出する。
【００４９】
そして、検出部４１で検出された薬剤の薬剤名について、検出された個数と準備薬剤記録部４７に記録されている薬剤名の個数とを比較して、補充薬剤を算出する（ステップＳ０２）。
【００５０】
準備薬剤記録部４７には、次の手術のために必要な収納部２０に保持しておく薬剤の薬剤名と必要な数が記録されている。本実施の形態１で、準備薬剤記録部４７に記録されている薬剤名は、薬剤ａが１２個、薬剤ｂが９個、薬剤ｃが６個、薬剤ｄが１２個、薬剤ｅが９個、薬剤ｆが６個である。
【００５１】
収納部２０には、薬剤ａが６個、薬剤ｂが５個、薬剤ｃが５個、薬剤ｄが４個、薬剤ｅが３個不足している。この不足している薬剤の個数が、収納部２０へ補充する補充薬剤である。
【００５２】
この補充情報（補充薬剤の情報で、薬剤ａは６個、薬剤ｂは５個、薬剤ｃは５個、薬剤ｄは４個、薬剤ｅは３個、という情報）をネット接続部４９より発信する（ステップＳ０３）。
【００５３】
すると、手術室の外にある薬剤払出装置に、薬剤管理装置１４から発信された補充情報が届き、薬剤払出装置は薬剤ａを６個、薬剤ｂを５個、薬剤ｃを５個、薬剤ｄを４個、薬剤ｅを３個、を払い出す。そして、作業者は手術室へ持参し、収納部２０の補充薬剤用のエリア６７に配置する。
【００５４】
図１０は、補充後の収納部２０の上面図である。補充する薬剤は、まず補充薬剤用のエリア６７に配置される。
【００５５】
次に、作業者は第２ボタン２８を押して、収納部２０に配置された薬剤の並び替え作業を行う。
【００５６】
第２ボタン２８が押されると、図７に示す初期薬剤記録部４３が作動し、検出部４１に指示を出して、収納部２０に存在する複数の薬剤の薬剤情報を検出する。そして、この検出された薬剤情報を、初期薬剤リストとして初期薬剤記録部４３に記録する。
【００５７】
この初期薬剤記録部４３に記録される初期薬剤リストには、薬剤名や使用期限に関係なくランダムに並べられているが、並び替部４４によって、薬剤名ごとに使用期限の早い順に順番を付与し、初期薬剤リストの順番を並び替える。さらに、並び替部４４は、収納部２０に同一種類の薬剤を配置する配置エリアに分け、この配置エリアごとに使用期限が早いものを前方（手前）に配置するように薬剤の配置場所を意味する番地を決定する。
【００５８】
図１１に、薬剤種類ごとに使用期限の早い順で付与された順番と、収納部２０の並び替える番地とが記載された初期薬剤リスト８１を示す。
【００５９】
初期薬剤記録部４３に初期薬剤リスト８１が記録された後、薬剤管理装置１４では、収納部２０の並び換えのための、初期薬剤リスト８１の表示が行われる。
【００６０】
そして、薬剤の並び替えのために、補充した薬剤のひとつを摘み上げると、移動先の番地、識別番号、薬剤名、順番、使用期限が他の部分より目立つようにされ、この目立った番地に従い摘み上げた薬剤を移動する。この目立つようにする方法としては、その番地（凹部）に設置されたＬＥＤを光らせる方法や、その番地（凹部）のみに対して薬剤管理装置１４に設けられた照射源（図示せず）から光を照射する方法などが考えられる。
【００６１】
薬剤の並び替え表示は、図１２の取り出し算出部４５動作を説明するフローチャートを用いて説明する。
【００６２】
初期薬剤リスト８１が算出された後、この初期薬剤リスト８１の内容を図１３に示すように表示部２２へ表示する（ステップＳ１１）。この時、初期薬剤リスト８１には、番地、識別番号、薬剤名、順番、使用期限が表示される。
【００６３】
ただし、図１３に示されている番地は、収納部２０に存在する薬剤を使用期限の早い薬剤を先に取り出されるように配列する番地であり、薬剤の現在の配置を示すものではない。
【００６４】
そして、初期薬剤記録部４３は、検出部４１へ指示を出し、収納部２０に存在する複数の薬剤の識別番号を検出する（ステップＳ１２）。
【００６５】
次に、初期薬剤記録部４３に記録されている薬剤の識別番号と、検出部４１で検出された識別番号と初期薬剤記録部４３に記録されている識別番号とを比較して、取り出し薬剤を算出する（ステップＳ１３）。
【００６６】
「取り出し薬剤あり」という状況は、初期薬剤記録部４３に記録されている薬剤の識別番号に対して、検出部４１で検出される薬剤が不足していた場合である。つまり、第２ボタン２８が押された時の収納部２０に存在する薬剤と比較して、不足が発生していると「取り出し薬剤あり」となる。なお、検出部４１は、収納部２０から薬剤を５ｃｍ以上摘み上げると、ＲＦＩＤタグを検出することができなくなり、「取り出し薬剤あり」と識別される。
【００６７】
そして、「取出し薬剤あり」と識別されると、取り出し薬剤の番地、識別番号、薬剤名、使用期限を図１３の表示部２２に示すようにハイライト表示させる（ステップＳ１４）。
【００６８】
具体的には、薬剤の並び替えのため、補充した薬剤を摘み上げると、薬剤管理装置では「取出し薬剤あり」と認識され、その薬剤を配置すべき収納部２０の番地が目立つ。
【００６９】
図１０に示す収納部２０の番地Ｃ９にある薬剤ｂ７２を摘み上げると、この薬剤は識別番号「４１６８２」であり、表示部２２では図１４に示すようにハイライト表示される。そして、この薬剤を配置するべき凹部２９の番地Ｇ３であることがわかる。作業者は、薬剤を番地Ｇ３へ移動する。
【００７０】
そして、薬剤管理装置１４は、第２ボタン信号の検出（ステップＳ１５）を行う。第２ボタン信号の検出があれば、並び替え終了として、並び替部４４は停止する。第２ボタン信号の検出がなければ、再度、ステップＳ１１に戻り、薬剤の検出を続ける。
【００７１】
また、ステップＳ１３で、検出部４１で検出される薬剤と初期薬剤記録部４３に記録されている薬剤と一致していれば、「取り出し薬剤なし」としてステップＳ１４の取出し薬剤の強調表現は行われない。
【００７２】
よって、Ｃ９番地から番地Ｇ３の凹部２９へ移動した薬剤ａ７１は、検出部４１で検出されるため、表示部２２で行われる識別番号「４１６８２」のハイライト表示は消えて図１３に示すような表示となる。
【００７３】
このように、エリア６７にある補充した薬剤をひとつずつ摘み上げ、表示部２２にハイライト表示された収納部２０の番地へ移動する。繰り返し薬剤の移動を行うことで、結果、同一種類の薬剤が同一の配置エリアに分けられ、配置エリアでは使用期限の早い薬剤が前方になるように収納部２０に薬剤が取り揃えられる。
【００７４】
なお、エリア６７から摘み上げた薬剤に対して、表示部２２でハイライト表示された薬剤の番地に、すでに配置されている薬剤が存在する場合がある。
【００７５】
その場合は、すでに配置されている薬剤を摘み上げて、その位置にエリア６７から摘み上げた薬剤を置く。
【００７６】
具体的は、図１０に示す収納部２０の番地Ａ９の薬剤ａ７１を摘み上げた場合、表示部２２には識別番号「３２７３４」の行がハイライト表示される。作業者がハイライト表示される番地Ｂ３を見ると別の薬剤ａ７１か配置されている。
【００７７】
作業者は、番地Ｂ３に識別番号「３２７３４」の薬剤ａ７１を置くために、すでに番地Ｂ３に配置されている薬剤ａ７１を摘み上げる。
【００７８】
すると、表示部２２には、識別番号「３２５３１」の薬剤ａ７１と識別番号「３２７３４」の薬剤ａ７１の２つの行がハイライト表示される。
【００７９】
作業者は識別番号「３２７３４」の薬剤７１ａを番地Ｂ３に置き、識別番号「３２５３１」の薬剤ａ７１を番地Ｃ１に置く。
【００８０】
薬剤管理装置１４は収納部２０に１つのＲＦＩＤリーダしか備えていないため、収納部２０に存在する薬剤を検出することはできるが、どの番地に薬剤が置かれているかを検出することはできない。
【００８１】
しかし、エリア６７にある薬剤はすべて他のエリア６１、６２、６３、６４、６５、６６へ移動すべきものでもあるので、エリア６７にある薬剤を移動することによって、使用期限が早いものが前方（手前）に来るように薬剤が取り揃えられる。
【００８２】
また、薬剤のラベルの形状、色により間違った配置エリアに配置されていることは目視でわかるので、間違った配置エリアに薬剤が存在する場合は、その薬剤を摘み上げて、表示部２２のハイライト表示に従い移動する。
【００８３】
このように、エリア６７の薬剤を表示部２２に示される番地に従って移動することにより、図１５に示すように、薬剤は初期薬剤リスト８１に一致した薬剤ごとの配置エリアに分かれ、配置エリア内では前方に使用期限の早い薬剤を容易に並べることが可能となる。
【００８４】
なお、上述した内容では使用期限の早い薬剤が配置エリア内で前方の左から順番に配置されるように、薬剤を配置するための番地を決定している。しかし、作業者の立ち位置等で、収納部２０の右から薬剤の使用が開始される可能性が高いのであれば、必ずしも左から順番に並べる必要はなく、たとえば、逆に右側から並べるように、薬剤の配置するための番地を決めてもよい。同様に、収納部２０の中央の薬剤が、最も使用期限の早い薬剤になるように番地を決めてもよい。
【００８５】
さらには、前方の薬剤より奥の薬剤の方から使用が開始される可能性が高いのであれば、使用期限の早い薬剤を前方から並べるのではなく、奥から並べるように場番地を決定してもよい。
【００８６】
また、上述した準備薬剤記録部４７に記録する準備薬剤の薬剤情報は、手術に応じて変更することが可能である。
【００８７】
（実施の形態２）
本実施の形態２の薬剤管理装置の表示部は複数の発光部からなり、この発光部は凹部２９ごとに対応づけられて配置されることを特徴とする。
【００８８】
実施の形態１では、摘み上げた薬剤の移動先が表示部２２に示され、この表示部２２の表示に従い薬剤を移動する。しかし、表示部２２に表示された位置へ的確に移動されるとは限らない。特に、実施の形態１では、収納部２０に存在する薬剤の番地を検出することができないために、間違った番地に配置されたとして気づかない場合が多い。
【００８９】
本実施の形態２の薬剤管理装置は、移動先の番地にある保持部に対応づけられた発光部を点滅させることで、より正確な薬剤の移動が可能になる。
【００９０】
図１６は、手術後、薬剤を補充した後の収納部９１の上面図である。保持部となす凹部２９の下面には発光部となすＬＥＤ９２が埋め込まれている。
【００９１】
薬剤管理装置１４は、収納部９１に存在する薬剤の識別番号、薬剤名、使用期限を含む薬剤情報をＲＦＩＤタグより検出する検出部、初期薬剤記録部４３に記録された複数の薬剤情報と比較して収納部９１の検出部で検出されない不足薬剤を算出する取出し算出部４５と、この取出し算出部４５で算出された不足薬剤について収納部９１の配置場所を指示する複数のＬＥＤ９２を備える。
【００９２】
例えば、収納部９１の番地Ｃ９に配置された薬剤ｂ７２を摘み上げると、識別番号「４１６８５」の薬剤を不足薬剤として検出する。使用期限の順番に並び替えられた初期薬剤リスト８１には、識別番号「４１６８５」の番地として、番地Ｇ３とある。
【００９３】
すると、番地Ｇ３にあるＬＥＤ９２が点滅して、作業者は識別番号「４１６８５」の薬剤ｂ７２を番地Ｃ９からＧ３へ移動することがわかる。
【００９４】
そして、薬剤ｂ７２を番地Ｇ３へ配置すると番地Ｇ３にあるＬＥＤ９２の点滅は消える。
【００９５】
このように、移動場所のＬＥＤ９２が点滅するために、薬剤の並べ替えの間違いを減らすことができる。
【００９６】
（実施の形態３）
本実施の形態３は、同一種類の薬剤を配置する配置エリアについて、この配置エリアの分け方を、配置する薬剤の使用頻度、大きさ、重要度の少なくとも１つの要素を用いて決定する薬剤管理装置である。
【００９７】
例えば、容器の背の高い薬剤が収納部の前方にあり、容器の背の低い薬剤が収納部の奥にあると、容器の背の低い薬剤を摘み上げようとすると容器の高さが大きい薬剤が邪魔になる。
【００９８】
本実施の形態３の薬剤管理装置は、容器の高さを考えて、容器の背の高い種類の薬剤を収納部２０の奥に、容器の背の低い種類の薬剤を前方に配置されるようにエリア分けを行うことが可能である。このようにエリア分けをすることで薬剤の取出しが行い易くなる。
【００９９】
具体的に説明すると、薬剤管理装置１４を使い手術を行う場合、作業者は、手術前に必要とする準備薬剤を準備薬剤記録部４７へ入力する。
【０１００】
この時、準備薬剤記録部４７へ入力する準備薬剤情報は、準備する薬剤の薬剤名、薬剤種類ごとの個数、薬剤種類ごとの薬剤容器の高さである。
【０１０１】
準備薬剤情報の入力が終えると、並び替部４４は同一種類の薬剤が同一の配置エリアに配置されるようにエリア分けを行う。
【０１０２】
次に、並び替部４４が行うエリア分け動作を、図１９のフローチャートを用いて説明する。
【０１０３】
準備薬剤記録部４７へ準備薬剤情報の入力が終わると、並び替え部４４の配置エリア分け動作が開始する。
【０１０４】
まず、並び替部４４は、準備薬剤記録部４７より準備する薬剤の薬剤名、薬剤種類ごとの個数、薬剤種類ごとの薬剤容器の高さを含む準備薬剤情報を検出する（ステップＳ２１）。
【０１０５】
すると、並び替部４４は準備薬剤情報より配置エリアのエリア分けを行う（ステップＳ２２）。
【０１０６】
この時、準備する薬剤は６種類あり、薬剤ａが１２個、薬剤ｂが９個、薬剤ｃが６個、薬剤ｄが１２個、薬剤ｅが９個、薬剤ｆが６個である。
【０１０７】
また、薬剤ａ、薬剤ｂ、薬剤ｃ、薬剤ｆの容器の高さは３ｃｍであり、薬剤ｄ、薬剤ｅの容器の高さは５ｃｍである。
【０１０８】
準備薬剤情報にも薬剤の薬剤名、薬剤種類ごとの個数、薬剤種類ごとの薬剤容器の高さが含まれており、この準備薬剤情報を分析してエリア分けを行う。
【０１０９】
準備薬剤は６種類あるので６個の配置エリアと薬剤補充や並び替えのため一時的に薬剤を配置しておくための１個の配置エリアが得られるように、エリアに分けが行われる。また、薬剤ｄ、薬剤ｅを保持する配置エリアは、収納部２０の奥側に位置するように配置エリア分けが行われる。
【０１１０】
そして、このようなエリア分をしたエリア分け情報を並び替部のエリア分け情報記録部（図示せず）に記録する（ステップＳ２３）。
【０１１１】
エリア分け情報とは、薬剤ａのエリアは収納部２０の番地Ａ１、Ａ２、Ａ３、Ｂ１、Ｂ２、Ｂ３、Ｃ１、Ｃ２、Ｃ３、Ｄ１、Ｄ２、Ｄ３であり、それぞれの薬剤の配置エリアと収納部２０の番地とが紐づけられたものである。
【０１１２】
なお、薬剤ｄ、薬剤ｅのエリアは、他の薬剤より容器の背の高いので、収納部２０の奥側である、番地Ａ４〜、Ｂ４〜、Ｃ４〜、Ｄ４〜、Ｅ４〜、Ｆ４〜、Ｇ４〜、Ｈ４〜、Ｉ４〜の範囲に１つの塊になって割付られる。
【０１１３】
また、薬剤補充や並び替えのため一時的に薬剤を配置しておくための配置エリアは、各薬剤に紐付けられていない余りの番地である。
【０１１４】
例えば、この時のエリア分けは、図８に示すようにエリア６１に薬剤ａ、エリア６２に薬剤ｂ、エリア６３に薬剤ｃ、エリア６４に薬剤ｄ、エリア６５に薬剤ｅが並ぶように分けられる。
【０１１５】
このようなエリア分け情報がエリア分け情報記録部に記録された状態であれば、薬剤管理装置１４を用いて、実施の形態１に示すように薬剤の並び替作業を行うと、背の低い薬剤を前方の配置エリアに、背の高い薬剤を奥側配置エリアになり、薬剤の取り出しを容易に行うことができる。
【０１１６】
なお、薬剤を配置する配置エリアのエリア分けは、薬剤の大きさを示す背の高さ以外の体積であってもよい。
【０１１７】
また、エリア分けは薬剤の使用頻度によって決めてもよい。使用頻度の場合は、使用頻度の高いものを前方に配置すると薬剤の取出しが容易になる。
【０１１８】
また、エリア分けは薬剤の重要度によって決めてもよい。取り扱いに注意が必要な薬剤は重要度が高く、他の薬剤を取出す時に作業者の手が触れ難いように、重要度の高い薬剤を奥側の配置エリア配置するようなエリア分けを行ってもよい。
【０１１９】
また、エリア分けは、図１５に示すように一つの塊にするのでなくとも、図１７示すようにすべての種類の薬剤が最前列から並ぶように帯状にエリア分けしてもよい。
【０１２０】
また、図１８に示すよう中央に、薬剤を補充する時や並び替え時に一時的に配置しておくためのエリア６７設けるようにリング状にエリア分けしてもよい。
【０１２１】
（実施の形態４）
本実施の形態４は、収納部２０の使用方向を自由に決めることが可能な薬剤管理装置であり、収納部２０の前方を作業者が取出し易い位置である作業者の手前とすることが可能である。そして、このような薬剤管理装置を用いることで、作業者は使用期限の早い薬剤を優先的に取り出し易くなる。
【０１２２】
図２に示す薬剤管理装置１４は、収納部２０、２１を内部に収納し、正面の開口より薬剤を取出す構成である。よって、収納部２０、２１の使用方向は、開口を前方（手前）とする方向である。
【０１２３】
しかし、図２０に示す薬剤管理装置９５は、収納部２０が薬剤管理装置９５の上部に位置し、収納部２０の上面を露出する構成である。よって、薬剤管理装置９５の四方より薬剤を取出すことができる。
【０１２４】
そのために、第１のボタン９７、第２のボタン９８のある方向を前方とし、収納部２０に使用期限の早い薬剤が前方に並べても、作業者が異なる方向から薬剤を取出す可能性がある。その場合、使用期限の早い薬剤が前方に並んでいても、作業者の手前に使用期限が早い薬剤が並んでいるとは限らない。
【０１２５】
本実施の形態４では、収納部２０の使用方向を変更できるようにして、薬剤管理装置９５の上部に載せた収納部２０であっても、作業者の手前に使用期限の早い薬剤を並べることを可能とする。
【０１２６】
図２１は、薬剤管理装置９５の機能ブロック図である。
【０１２７】
薬剤管理装置９５は、収納部２０の使用方向を記録する使用方向記録部９６を備え、この使用方向記録部９６の使用方向に従い収納部２０の前方を決定する。
【０１２８】
さらには、使用方向記録部９６の使用方向は、表示部２２の表示方向によって変更する。
【０１２９】
図２０に示すように表示部２２が第１ボタン９７、第２ボタン９８の方向を向いている場合、使用方向記録部９６の使用方向は図２０に示す矢印９９の向きとなる。
【０１３０】
また、表示部２２を９０度回転（上方より見て左回りに回転）すると、使用方向記録部９６に記録される使用方向は図２２に示す矢印１００の向きに変更する。
【０１３１】
表示部２２の表示方向は作業者にとって見やすい方向であり、普通は作業者の立ち位置の方向である。よって、表示部２２の表示方向に近づくように使用方向記録部９６に記録する使用方向を決定する。そして、使用方向の前方に使用期限の早い薬剤が並ぶようにする。
【０１３２】
具体的には、薬剤を補充する時、第１のボタン９７を押す前に表示部２２を図２０に示す状態から左回転して図２２に示す状態とする。すると、使用方向記録部９６に記録される使用方向は矢印９９から矢印１００へ変更する。
【０１３３】
その後、第１のボタン９７を押すと使用方向が図２２に示す矢印１００になっており、並び替部４４は、使用方向の前方（手前）に使用期限が早い薬剤が並ぶように薬剤を配置する凹部２９の番地を決定する。また、エリア分けを行う場合も使用方向記録部９６に記録された使用方向を利用する。
【０１３４】
図２３は、表示部を回転して使用方向が矢印１００の場合、配置エリアがエリア分けされ、使用期限の早い薬剤が配置エリア内の前方に並べられた収納部２０の上面図である。
【０１３５】
薬剤を補充する時や並び替え時に、一時的に配置しておくためのエリア６７は、矢印１００の奥（後方）になるようにエリア分けされる。また、Ｈの列よりＩの列に使用期限が早い薬剤を並べ、Ｇの列よりＨの列に使用期限が早い薬剤を並べる。
【０１３６】
このように、作業者の立ち位置に応じて、収納部２０の使用方向を決めることができるので、薬剤管理装置９５の置き位置の自由度が広がる。たとえば、２種類の手術を行うために、２種類の配置パターンが必要な場合は、本実施の形態４を用いることにより、手術毎に立ち位置を変更してもらうことで、２種類の手術に対応した配置パターンを、１つの収納部２０で実現する事が可能である。
【０１３７】
なお、使用方向記録部９６に記録する使用方向は、表示部２２の表示方向で決める以外にも、作業者が操作部から直接入力するようにしてもよい。
【０１３８】
また、薬剤管理装置９５の使用方向は、薬剤管理装置９５に設けられた対人センサ（図示せず）を用いて、薬剤管理装置９５の周囲に存在する作業者の位置を検出し、その作業者が存在する方向を使用方向とする事も可能である。この場合は、予め決められた使用方向が存在しない場合は、対人センサで検出した位置に向いた方向を使用方向とするが、予め使用方向が決められている場合は、その使用方向と対人センサで検出した位置に向いた方向とが一致する場合に、使用方向として制御を行うことが好ましい。これにより、作業者の立ち位置によって方向を定義する事が可能になり、薬剤管理装置９５の冗長性が増す。
【０１３９】
（実施の形態５）
本実施の形態５は、収納部２０の配置エリアのエリア分を、同一種類の薬剤の配置エリアで分けるのに加えて、同一薬剤セットの配置エリアで分けることを可能とする薬剤管理装置である。
【０１４０】
薬剤の使用には、必ず複数の組み合わせを前提として使用される薬剤がある。そのような薬剤は、複数の薬剤を１つの薬剤セットとして管理されることが望ましい。
【０１４１】
本実施の形態５は、薬剤セットとして使用される薬剤に対しては薬剤セットとして配置エリアが決められる薬剤管理装置である。
【０１４２】
図２４は同一薬剤セットの配置エリアが含まれるようにエリア分けを行った表示部の正面図である。
【０１４３】
図２４の上方に表示される番地Ａ１、Ｂ１、Ｃ１の薬剤は３つとも「１」の順番である。
【０１４４】
これは、薬剤ａ、薬剤ｂ、薬剤ｄを１つの薬剤セットとして考えているためである。
【０１４５】
薬剤ａ、薬剤ｂ、薬剤ｄで１つの薬剤セットとして考え、薬剤セットとして使用期限の短いものから順番が付与されて、表示部１１０に表示される。
【０１４６】
そして、作業者が補充薬剤を摘み上げ、検出部４１が摘み上げた薬剤を「取り出し薬剤あり」と識別すると、摘み上げた薬剤の番地、識別番号、順番、使用期限の箇所がハイライト表示される。作業者はハイライト表示された薬剤の番地へ摘み上げた薬剤を移動する。この動作を繰り返すことで、薬剤の並び換えが行われる。
【０１４７】
図２５は、並び替えの終わった収納部２０の上面図である。
【０１４８】
薬剤ａ、薬剤ｂ、薬剤ｄを１つのセットとする薬剤セット１１１はエリア１１２の中に６セット並ぶ。この時、薬剤セット１１１は使用期限の短いセットが前方並ぶようにように配置される。
【０１４９】
このように本実施の形態５の薬剤管理装置は、薬剤の種類で並べる以外にも、薬剤セットとして並べることも可能である。
【産業上の利用可能性】
【０１５０】
本発明にかかる薬剤管理装置および方法は、使用期限の早い薬剤を先に取り出されるよう容易に並べ替えるとができるので、予備の薬剤も準備しておく手術室等の薬剤管理装置等で有用である。
【符号の説明】
【０１５１】
１０  手術室
１１  ベッド
１２  ライト
１３  測定器具
１４、９５  薬剤管理装置
２０、２１、９１  収納部
２２、１１０  表示部
２３  ＩＣタグリーダ
２４  カメラ
２５  制御機器ケース部
２７、９７  第１ボタン
２８、９８  第２ボタン
２９  凹部
３０  薬剤
３１  薬剤受け
３２  収納部アンテナ
３３  アンテナ固定ガイド
３４  収納部底板
３５  遮蔽板
３６  引出レール
３８  アンプル
３９  ＲＦＩＤタグ
３９ａ  ＩＣ
３９ｂ  コイル
４１、４２  検出部
４３  初期薬剤記録部
４４  並び替部
４５  取出し算出部
４７  準備薬剤記録部
４８  補充算出部
４９  ネット接続部
５１  作業者記録部
６１、６２、６３、６４、６５、６６、６７、１１２  エリア
７１  薬剤ａ
７２  薬剤ｂ
７３  薬剤ｃ
７４  薬剤ｄ
７５  薬剤ｅ
７６  薬剤ｆ
８１  初期薬剤リスト
９２  ＬＥＤ
９６  使用方向記録部
９９、１００  矢印
１１１  薬剤セット
【図１】
2011104188.tif 000003
【図２】
2011104188.tif 000004
【図３】
2011104188.tif 000005
【図４】
2011104188.tif 000006
【図５】
2011104188.tif 000007
【図６】
2011104188.tif 000008
【図７】
2011104188.tif 000009
【図８】
2011104188.tif 000010
【図９】
2011104188.tif 000011
【図１０】
2011104188.tif 000012
【図１１】
2011104188.tif 000013
【図１２】
2011104188.tif 000014
【図１３】
2011104188.tif 000015
【図１４】
2011104188.tif 000016
【図１５】
2011104188.tif 000017
【図１６】
2011104188.tif 000018
【図１７】
2011104188.tif 000019
【図１８】
2011104188.tif 000020
【図１９】
2011104188.tif 000021
【図２０】
2011104188.tif 000022
【図２１】
2011104188.tif 000023
【図２２】
2011104188.tif 000024
【図２３】
2011104188.tif 000025
【図２４】
2011104188.tif 000026
【図２５】
2011104188.tif 000027
【図２６】
2011104188.tif 000028